(57)【要約】【課題】屋外側及び室内側で、確実かつ容易に、壁貫通の接続パイプを防水又は気密遮湿処理する。接続パイプの材料によらず、かつ経年変化や不慮の衝撃によっても性能を維持できる。【解決手段】壁構造内の屋外側に面材３５が張られ、屋外側に防水紙１７Ａが配置され、断熱材２０が充填される。室内側に固定されたパイプ受け６Ｂと面材３５の開口３６に接続パイプ１を挿入する。接続パイプ１の屋外側、室内側に防水ゴムシート１２を嵌装し、各防水ゴムシート１２の外周部と防湿フィルム１７Ｂ、防水紙１７Ａを夫々密着する。胴縁２９にサイディング３０を取付け、シーリング材２１を充填する。接続パイプ１の屋外側にベントキャップ２５を被せ、室内側にレジスタ２７を取付け、換気用の接続パイプ１を貫通させた壁構造とする。【選択図】図６
2006225850.tif 000002
【特許請求の範囲】
【請求項１】
外壁の屋外側にサイディングを有する壁の内外に貫通する接続パイプを設けた構造において、以下の構成としたことを特徴とする壁貫通パイプの防水構造。
(1) 前記サイディングの開口と前記接続パイプの周囲にシーリング材を充填する。
(2) 前記パイプの外径より小径に形成した弾性開口を有するゴムシートを形成し、
前記接続パイプの中間部であって、前記壁内で、前記接続パイプをゴムシートの開口に挿入して、該ゴムシートを弾性嵌装した。
【請求項２】
外壁の屋外側にサイディング、中間部に断熱材を有する壁の内外を貫通する接続パイプを設けた構造において、以下の構成としたことを特徴とする壁貫通パイプの防水構造。
(1) 前記サイディングの開口と前記接続パイプの周囲にシーリング材を充填し、
(2) 前記パイプの外径より小径に形成した開口を有するゴムシートを形成し、
前記接続パイプの中間部であって、前記壁内で、前記接続パイプをゴムシートの開口に挿入して、該ゴムシートを弾性嵌装した。
(3) 前記ゴムシートの外周縁と、前記断熱材の表面に貼った防水性を有するシートとに、防水テープを貼った。
【請求項３】
壁の厚さ内に配置された構造材に、パイプ挿通開口を有するパイプ受け具を並列固定し、該パイプ挿通過開口内に接続パイプを挿入する請求項１又は２記載の壁貫通パイプの防水構造。
【請求項４】
壁内に配置した防水性を有するシートに開口を形成し、接続パイプを該開口を貫通し、ゴムシートの周縁と前記開口縁とを防水テープで密着したことを特徴とする請求項１又は２記載の壁貫通パイプの防水構造。
【発明の詳細な説明】
【技術分野】
【０００１】
この発明は、外壁にサイディングを貼った壁構造において、主に換気の為に内外に貫通する接続パイプを設置する場合に、接続パイプの周辺での防水処理について壁貫通パイプの防水構造に関する。
【背景技術】
【０００２】
外壁にサイディングを貼った壁構造において、接続パイプを貫通させ、サイディングの開口と接続パイプの外周との間に、シーリング材を充填してしていた（例えば、特許文献１）。
【特許文献１】特開平８−２４７５１６
【発明の開示】
【発明が解決しようとする課題】
【０００３】
前記従来の場合、外壁の屋外側で、接続パイプの周囲で屋外側からの雨水の浸入は防止できるが、何らかの原因で、壁内に浸入した雨水等については、これが室内側に浸入することを防止できなかった。また、いくつか提案はあったが、構造が複雑であり、実際に実施されることが困難であった。
【０００４】
とりわけ、昨今のシックハウス症候群の緩和の為に、室内に蓄積した有害物質を屋外に排出する為に、換気の強化が推奨されており、壁貫通パイプが必須となっている。これに伴い、壁を貫通する接続パイプも増加し、簡易かつ確実な防水処理をした構造が求められていた。
【課題を解決するための手段】
【０００５】
然るにこの発明は、壁貫通するパイプの外側のサイディングの貫通部分にシーリング材を充填すると共に、壁内でパイプに、ゴムシートを弾性嵌挿して防水処理をしたので、前記問題点を解決した。
【０００６】
即ちこの発明は、外壁の屋外側にサイディングを有する壁の内外に貫通する接続パイプを設けた構造において、以下の構成としたことを特徴とする壁貫通パイプの防水構造である。  
(1) 前記サイディングの開口と前記接続パイプの周囲にシーリング材を充填する。  
(2) 前記パイプの外径より小径に形成した弾性開口を有するゴムシートを形成し、前記接続パイプの中間部であって、前記壁内で、前記接続パイプをゴムシートの開口に挿入して、該ゴムシートを弾性嵌装した。
【０００７】
また、他の発明は、外壁の屋外側にサイディング、中間部に断熱材を有する壁の内外を貫通する接続パイプを設けた構造において、以下の構成としたことを特徴とする壁貫通パイプの防水構造である。  
(1) 前記サイディングの開口と前記接続パイプの周囲にシーリング材を充填し、
(2) 前記パイプの外径より小径に形成した開口を有するゴムシートを形成し、
前記接続パイプの中間部であって、前記壁内で、前記接続パイプをゴムシートの開口に挿入して、該ゴムシートを弾性嵌装した。  
(3) 前記ゴムシートの外周縁と、前記断熱材の表面に貼った防水性を有するシートとに、防水テープを貼った。
【０００８】
また、前記において、壁の厚さ内に配置された構造材に、パイプ挿通開口を有するパイプ受け具を並列固定し、該パイプ挿通過開口内に接続パイプを挿入する壁貫通パイプの防水構造である。更に、壁内に配置した防水性を有するシートに開口を形成し、接続パイプを該開口を貫通し、ゴムシートの周縁と前記開口縁とを防水テープで密着したことを特徴とする壁貫通パイプの防水構造である。
【０００９】
前記における「防水性を有するシート」とは、防水紙の他、水蒸気も通さない防湿フィルム等、一般に壁内に配置される材料を指す。材質も樹脂、紙等一般に使用されるものであれば任意に使用できる。
【００１０】
例えば、室内側に防湿フィルム（防水性を有するシート）を配置し、室外側に防水紙（防水性を有するシート）を配置する。この場合には、夫々に形成した開口を接続パイプが貫通し、防湿フィルム開口縁又は防水紙の開口縁の一方又は両方に、接続パイプに取り付けたゴムシートの外周との間に防水テープを貼り、ゴムシートと防水紙等を密着する。
【発明の効果】
【００１１】
この発明は、屋外側では、サイディングと接続パイプとの間をシーリング材で覆う共に、壁内で弾性開口を形成したゴムシートを弾性嵌装したので、屋外側及び室内側で確実かつ容易に接続パイプを防水又は気密遮湿処理できる効果がある。
【００１２】
また、弾性開口を形成したゴムシートを使用するので、接続パイプの外径が多少異なる場合であっても適用できる効果がある。また、接続パイプの径が大径となる場合には、構築現場で弾性開口の径を容易に大きくすることができるので、共通のゴムシートを使用して、材料の在庫を減らして、異なる仕様の接続パイプに容易に対応できる効果がある。
【００１３】
弾性開口を有するゴムシートを使用するので、接続パイプに嵌装した場合には、伸びて弾性開口にフランジ状の開口密着部を形成し、面状に接続パイプの外面に当接するので、確実に防水できる効果がある。更に、形成した開口密着部に防水テープなどを巻けば、より確実に防水でき、経年変化や不慮の衝撃などによっても防水が切れるおそれがない。
【００１４】
この場合、防水性を有するシートの開口縁と、ゴムシートの外周縁とが隙間無く密着するように、即ち、フィルムの開口縁を塞ぐように、防水テープを貼れば、より確実に防止処理できる。
【００１５】
また、ゴムシートを使用するので、接続パイプの材質が、塩ビ等の樹脂やアルミなどの金属等の場合であっても、材料を選ばず、防水処理ができる効果がある。
【発明を実施するための最良の形態】
【００１６】
（１）  従来と同様の柱、間柱２８など壁の軸組構造に、屋外側にサイディング３０、室内側にせっこうボード（化粧シートを貼る下地）３２が固定してある。サイディング３０の開口３１、せっこうボード３２の開口３３を貫通して、接続パイプ１が配置されている。接続パイプ１は、壁の軸組構造に固定されたパイプ受け（屋外側）６Ａ、パイプ受け（室内側）６Ｂの円形の開口８により位置決めされ、所定の水勾配が確保されている。接続パイプ６Ａの一方の開口８にはフランジ１０が形成され、接続パイプ１を確実に保持されている（図３）。
【００１７】
（２）  接続パイプ１は、接続パイプ１の径Ｄ０より小径の径Ｄ２の弾性開口１４を有する防水ゴムシート１２が嵌装されている。防水ゴムシート１２の弾性開口１４の開口縁は、接続パイプ１の外面で伸びて、フランジ状の開口密着部１５を形成して、接続パイプ１の外面に密着されている（図４）。
【００１８】
（３）  パイプ受け６Ａ、パイプ受け６Ｂ間に断熱材２０が取り付けられている。断熱材２０の室内側２０ｂに沿って、室内側の防湿フィルム１７Ｂが配置され、防湿フィルム１７Ｂの孔１７ａを接続パイプ１が貫通している。防湿フィルム１７Ｂは、パイプ受け６Ｂの室内側面に沿って配置されている（防湿フィルム１７Ｂの屋外側１８がパイプ受け６Ｂの室内側面に当接している）。防湿フィルム１７Ｂの室内側１８ａに、更に防水ゴムシート１２の屋外側面が当接しており、防止ゴムシート１２の外周と防湿フィルム１７Ｂの室内側１８ａとを密着する為に、該部に防水テープ１９が貼られている。
【００１９】
また、断熱材２０の屋外側２０ａで、室外側のパイプ受け６Ａの室外側に沿って、防水紙（透湿防水シート）１７Ａが取り付けられ、防水紙１７Ａの孔１７ａを接続パイプ１が貫通している。防水紙１７Ａの孔１７ａの口縁に防水テープ１９が貼られ、パイプ受け６Ａの屋外側に密着されている。
【００２０】
（４）  パイプ受け６Ａのフランジ１０の外周に防水テープ１９を巻き、接続パイプ１の外面に密着されている。更に、接続パイプ１の外面にリング状のバックアップ材２３を密着する。
【００２１】
（５）  接続パイプ１の室内側にレジスター２７、屋外側にベントキャップ２５を取り付けて、壁が構築されている（図５）。
【００２２】
（６）  壁構造の場合、断熱材の屋外側に面材を配置する場合と、配置しない場合とがある。夫々の場合の防水する手段（防水テープを除く）は、以下の通りである。  
(a) 面材がある場合；
［屋外側］防止ゴムシート１２、バックアップ材２３、防止紙１７Ａ
［室内側］フランジ無しのパイプ受け６Ｂ、防水ゴムシート１２、防湿シート１７Ｂ
(b) 面材が無い場合；
［屋外側］フランジ付きのパイプ受け６Ａ、バックアップ材２３、防水紙１７Ａ
［室内側］フランジ無しのパイプ受け６Ｂ、防水ゴムシート１２、防湿シート１７Ｂ
【実施例１】
【００２３】
図１〜図５に基づき、この発明の実施例を説明する。尚、図中各構成部材は、説明上、構成部材間を離して記載してあるが、実際は密着している。
【００２４】
１．使用部材
【００２５】
（１）接続パイプ１
・塩化ビニル製  ＶＰ管（又はＶＵ管、ＳＵ管等）  外径Ｄ０＝１０４〜１１４ｍｍ
厚肉のＶＰ管を使用するが、薄肉の排水設備用ＶＵ管のいずれでも可能である。またステンレス製の管（外径１０４ｍｍなど）でも可能である。
【００２６】
（２）パイプ受け６
パイプ受６は、正方形の基板７に、径Ｄ１の円形の開口８を形成し、基板７の一縁に取り付け用の連結片９を直角に連設して構成する。軸組構造で、屋外側に面材３５を使用しない場合は、２つ一組で使用し、一方のパイプ受け６Ａの円形の開口に沿って、短い円柱状のフランジ１０を形成してある。屋外側に面材３５を使用する場合には、屋外側のパイプ受け６Ａは不要である。  
円形の開口８の径Ｄ１は、使用する接続パイプの外径Ｄ０より若干大きな径（外径１０４ｍｍのパイプを使用した場合、例えば、１０５ｍｍとする）の円形の開口８を形成する。また、材質は任意であるが、例えば厚さ２ｍｍのＡＢＳ製とする。
【００２７】
（３）防水ゴムシート１２
正方形のシート１３の中央に、径Ｄ２の弾性開口１４を形成する。弾性開口１４の径Ｄ２は接続パイプ１の外径Ｄ０より小さく形成し、例えば１００ｍｍ程度とする。
【００２８】
（４）防水性を有するシート１７
例えば、防水紙（透湿防水シート）、防湿フィルム等を使用する。実施例では、断熱材２０の屋外側に防水紙１７Ａ、室内側に防湿フィルム１７Ｂを配置する。
【００２９】
（５）防水テープ１９
片面粘着タイプを使用する。「接続パイプ１と防水ゴムシート１２のフランジ状の開口密着部１５と」又は「接続パイプ１とパイプ受け６Ａのフランジ１０と」に巻く場合には、幅１５ｍｍ程度のものが好ましい。また、防水紙１７Ａと防水ゴムシート１２の外周縁との接合、防水紙１７Ａとパイプ受け６Ａの基板７との接合には、幅５０ｍｍ程度のものが好ましい。但し、他のテープを使用することもでき、特に室内側については、屋外側に比して高い密着性能は要求されないので、他のテープを使用することもできる。
【００３０】
（６）シーリング材２１
通常の建築用のシーリング材を使用する。
【００３１】
（７）バックアップ材２３
径Ｄ３で、無架橋ポリエチレン製で、リング状に巻き付ける。径Ｄ３は通気層の厚さ（即ちサイディング３０を取り付ける胴縁２９の厚さと同等）で形成し、通常は、
Ｄ３＝２０ｍｍ
程度となる。また、他の樹脂材や丸棒等から形成することもできる。
【００３２】
（８）ベントキャップ２５
接続パイプ１の屋外側端部３に取付け、接続パイプ１内の雨水・塵芥が入ることを防止する。通常の構造である。ベントキャップ２５は実施例では外挿型とするが、内挿型でも可能である。
【００３３】
（９）レジスター２７
接続パイプ１の室内側端部４に取付ける。通常の構造である。
【００３４】
２．施工手順
【００３５】
（１）  柱、間柱の屋外側に面材がない場合について説明する。柱（図示していない）、間柱２８など壁の軸組構造が構成され、サッシ等の開口部建具も取り付けられている（図示していない）。また、柱、間柱の屋外側に、防水紙（透湿防水シート）１７Ａが取り付けられている。
【００３６】
（２）  接続パイプ１の取り付け位置にあわせて、屋外側のパイプ受け（フランジ付き）６Ａ及び室内側のパイプ受け（フランジ無し）６Ｂを間柱（又は柱）２８に固定する。パイプ受け６Ａ、６Ｂの連結片９の透孔９ａ、９ａからビス（又は釘等）１１を打ち、間柱（又は柱）２８に固定する。（図１（ｂ））。
【００３７】
この際、取り付け位置に間柱（又は柱）がない場合には、取付用の桟材を固定し、桟材にパイプ受け６Ａ、６Ｂに取り付ける。また、この際、接続パイプ１の勾配に考慮し、給気の場合には、１／３０、排気の場合には、１／１００以上の水勾配を屋外側に取り、室内側に雨水が浸入しないように、また、接続パイプ内の結露水等が屋外に排出できるようにする。
【００３８】
（３）  柱、間柱２８間に、断熱材２０、２０を充填する。両パイプ受け６Ａ、６Ｂの基板７、７間にも断熱材２０を詰める。室内側の防湿フィルム１７Ｂを配置し、屋外側の防水紙１７Ａ、室内側の防湿フィルム１７Ｂで柱、間柱２８、断熱材２０の両面２０ａ、２０ｂが覆われる。
【００３９】
屋外側の防水紙１７Ａは、屋外側パイプ受け６Ａの基板７の屋外側に位置し、基板７の円形の開口８（又はフランジ１０）の外周から１５ｍｍ程度の位置で四角に切り取り、防水紙１７Ａに四角の孔１７ａを形成する。屋外側の防水紙１７Ａの孔１７ａは、パイプ受け６Ａの円形の開口８より大型とし、基板７の外周よりも小型とし、孔１７ａは矩形とすることが望ましい。即ち屋外側の防水紙１７Ａの孔１７ａの縁は、基板７の屋外側に位置する。
【００４０】
屋外側の防水紙１７Ａの孔１７ａの縁が基板７の屋外側に位置した状態で、防水紙１７Ａの屋外側から防水テープ１９で、基板７に圧着し防水紙１７Ａと基板７を接合する。尚、防水テープ１９の位置は、パイプ受け６Ａのフランジ１０に接する位置までとして、フランジ１０にかからないようにする（図３（ｄ））。
【００４１】
断熱材２０と室内側の防湿フィルム１７Ｂは、パイプ受け６Ｂの円形の開口８に合わせて切り取って、孔１７ａを形成する。
【００４２】
（４）  続いて、接続パイプ１を、両パイプ受け６Ａ、６Ｂの円形の開口８、８に挿入する（図２（ａ））。接続パイプ１の屋外側は、サイディング３０の仕上面から所定長さ（ベントキャップ２５の仕様による）を突出させ、室内側は、レジスター２７の仕様にあわせて配置する。接続パイプ１を挿人後に、接続パイプ１の室内側に防水ゴムシート１２を嵌装する（図２（ｂ））。防水ゴムシート１２の弾性開口１４は、伸びてフランジ状の開口密着部１５が室内側に形成され、開口密着部１５が接続パイプ１の外面に面状に密着する。
【００４３】
（５）  防水ゴムシート１２は、室内側の防湿フィルム１７Ｂの室内側に位置し、防水ゴムシート１２の室内側から、防水ゴムシート１２の外周部に隙間が出来ないように、防水ゴムシート１２の外周部と防湿フィルム１７Ｂの屋内側とに防水テープ１９を貼る。
【００４４】
（６）  （５）に続いて又は、同時に、或は（５）の前に、屋外側のパイプ受け６Ａのフランジ内面と接続パイプ１の外面の隙間を閉ざす為に、防水テープ（例えば、幅１５ｍｍタイプ）１９を巻き付け密着する。続いて、接続パイプ１の外周で、この防水テープ１９を巻きつけた位置の外周に、バックアップ材２３をリング状に巻き付ける。バックアップ材２３の径は、胴縁２８の厚さと略同寸法とする。
【００４５】
胴縁２８により、防水紙１７Ａとサイディング３０の間に中空部が形成され、壁体内の空気の流れを確保できる。
【００４６】
（７）  （５）に続いて、通常の方法により、せっこうボード３２を柱、間柱等に取り付ける（図２（ｄ））。この際、せっこうボード３２には、接続パイプ１を挿入する開口３３を形成する。
【００４７】
また、せっこうボード３２に所定の仕上げ（クロス張りなど）をして、接続パイプ１の室内側の端４に室内側のレジスタ２７を取付ける（図２（ｅ））。
【００４８】
（８）  （６）に続いて、又は（６）の前に、屋外側の胴縁２９、２９を柱、間柱に取付け、胴縁２９、 ２９にサイディング３０、３０を取付ける（図２（ｄ））。サイディングは、接続パイプ１に対応させた開口３１を形成する。サイディング３０の開口３１の縁と接続パイプ１の外面との間にシーリング材２１、２１を充填する（図２（ｄ））。
【００４９】
続いて、接続パイプ１の屋外側の端３にベントキャップ２５を被せ、サイディング３０に固定し、換気用の接続パイプ１を貫通させた壁の構築が完了する（図１（ａ）（ｂ）、図２（ｅ））。
【００５０】
３．他の実施例
【００５１】
（１）  前記における施工手順は一例であり、部材を取り付ける順序は、使用する部材により、適宜変更が可能である。
【００５２】
（２）  また、前記実施例において、接続パイプ１は円形断面としたが、正方形、長方形、楕円等任意である。この場合、接続パイプの外径形状に合わせて、パイプ受６Ａ、６Ｂの開口８の形状を決める（図示していない）。
【００５３】
（３）  また、前記実施例において、パイプ受け６Ａ、６Ｂは、接続パイプ１を所定勾配を確保して保持できれば、その構造は任意である（図示していない）。
【実施例２】
【００５４】
図６に基づき他の実施例を説明する。この実施例は、柱、間柱あるいは、縦枠の屋外側に面材３５がある構造に適用する実施例で、屋外側にパイプ受け６Ａを使用しないこと以外、使用する部材については前記実施例１と同じで、施工手順のみが異なる。従って、施工手順のみを説明する。
【００５５】
（１）  柱、間柱あるいは、その他の縦枠など壁の構造が構成され、柱、間柱、縦枠等の外側に面材３５が張られ（図６）、サッシ等の開口部建具も取り付けられている（図示していない）。また、柱、間柱、縦枠等の屋外側に防水紙（透湿防水シート）１７Ａが取り付けられている。
【００５６】
（２）  接続パイプ１の取り付け位置に合わせて、面材３５に開口３６を形成すると共に防水紙１７Ａに孔１７ａを形成する。また、室内側のパイプ受け（フランジなし）６Ｂを間柱（又は柱、縦枠）２８に固定する。この際、接続パイプ１の勾配に考慮し、給気の場合には、１／３０、排気の場合には、１／１００以上の水勾配を屋外側に取り、室内側に雨水が浸入しないように、また、接続パイプ１内の結露水等が屋外に排出できるようにする。
【００５７】
（３）  柱、間柱あるいは縦枠の間に断熱材２０、２０を充填する。屋外側の面材３５と室内側パイプ受け６Ｂの基板７の間にも断熱材２０、２０を詰める。
【００５８】
（４）  接続パイプ１を、面材３５の開口３６と室内側のパイプ受け（フランジ無し）６Ｂの円形の開口８に挿入する。この際、断熱材２０、２０には切り込みを入れ、押し開くようにする。接続パイプ１の屋外側は、サイディング３０の仕上げ面から所定長さ（ベントキャップ２５の仕様による）を突出させ、室内側は、レジスター２７の仕様にあわせて配置する。
【００５９】
接続パイプ１を挿人後に、前記実施例１と同様に、接続パイプ１の室内側に防水ゴムシート（室内側）１２を嵌装する（図２（ｂ）参照）。防水ゴムシート１２の弾性開口１４は、伸びてフランジ状の開口密着部１５が室内側に形成され、開口密着部１５が接続パイプ１の外面に面状に密着する。
【００６０】
（５）  防水ゴムシート１２は、室内側の防湿フィルム１７Ｂの室内側に位置し、防水ゴムシート１２の室内側から、防水ゴムシート１２の外周部に隙間が出来ないように、防水ゴムシート１２の外周部と防湿フィルム１７Ｂの屋外側とに防水テープ１９を貼る。
【００６１】
（６）  （５）に続いて又は、同時に、あるいは（５）の前に、接続パイプ１の屋外側に防水ゴムシート（屋外側）１２を嵌装する。防水ゴムシート１２の弾性開口１４は、前記防水ゴムシート（室内側）１２と同様に、伸びてフランジ状の開口密着部１５が屋外側に形成され、開口密着部１５が接続パイプ１の外面に面状に密着する。
【００６２】
（７）  防水ゴムシート１２は、屋外側の防水紙１７Ａの屋外側に位置し、防水ゴムシート１２の屋外側から、防水ゴムシート１２の外周縁に隙間が開かないように、防水ゴムシート１２の外周部と防水紙１７Ｂの屋外側とに防水テープ１９（５０ｍｍ幅）を貼る。また、防水ゴムシート１２の開口密着部１５の開口縁（外周）に、不慮に隙間が開かないように、開口密着部１５の開口縁と接続パイプ１の外周とに防水テープ１９（１５ｍｍ幅）を巻き付け、密着する。
【００６３】
（８）  （６）に続いて、屋外側の胴縁２９、２９を柱、間柱に取付け、胴縁２９、２９にサイディング３０、３０を取付ける（図２（ｄ）参照）。サイディング３０、３０には、接続パイプ１に対応させた開口３１を形成する。サイディング３０の開口３１の縁と接続パイプ１の外面との間にシーリング材２１、２１を充填する（図２（ｄ）参照）。
【００６４】
続いて、接続パイプ１の屋外側の端３にベントキャップ２５を被せ、サイディングに固定し、換気用の接続パイプ１を貫通させた壁の構築が完了する（図６）。ここで、接続パイプ１の室内側の端４に室内側のレジスタ２７が取り付けられている（図６）。
【００６５】
（９）  この実施例では、室内側の防水ゴムシート１２と共に、屋外側にも防水ゴムシート１２を取付けるので、防水性能がより高められる。また、この実施例では、屋外側のパイプ受け６Ａを使用しないが、接続パイプ１の位置を定める機能は、面材３５の開口３６とパイプ受け６Ｂとでなされる。
【図面の簡単な説明】
【００６６】
【図１】この発明の発明を木造の壁構造に提供した図で、（ａ）は縦断面図、（ｂ）は（ａ）のＡ−Ａ線における一部を破折した断面図である。
【図２】（ａ）〜（ｅ）はこの発明の施工方法を説明する概略した縦断面図である。」
【図３】この発明の実施例に使用するパイプ受け具で、（ａ）はフランジが無い構成の正面図、（ｂ）は（ａ）のＢ−Ｂ線における断面図、（ｃ）はフランジが有る構成の正面図、（ｄ）は（ｃ）のＣ−Ｃ線における断面図である。
【図４】この発明の実施例に使用する防水ゴムシートで、（ａ）は正面図、（ｂ）は使用状態の縦断面図である。
【図５】この発明の実施例１で施工された壁の縦断面図で、異なるレジスターを使用してある。
【図６】この発明の実施例２で施工された壁の縦断面図である。
【符号の説明】
【００６７】
１    接続パイプ
３    屋外側の端
４    室内側の端
６    パイプ受け
６Ａ  パイプ受け（屋外側）
６Ｂ  パイプ受け（室内側）
７    パイプ受けの基板
８    パイプ受けの円形の開口
９      パイプ受けの連結片
１０  パイプ受けのフランジ
１２  防水ゴムシート
１４  防水ゴムシートの弾性開口
１５  防水ゴムシートの開口密着部
１７  防水紙
１７Ａ  防水紙（屋外側）
１７Ｂ  防湿フィルム（室内側）
１９    防水テープ
２０    断熱材
２１    シーリング材
２３    バックアップ材
２５    ベントキャップ
２７    レジスター
２９    胴縁
３０    サイディング
３２    せっこうボード
３５    面材
３６    面材の開口
【図１】
2006225850.tif 000003
【図２】
2006225850.tif 000004
【図３】
2006225850.tif 000005
【図４】
2006225850.tif 000006
【図５】
2006225850.tif 000007
【図６】
2006225850.tif 000008